(57)【特許請求の範囲】
【請求項１】
ガスバッグ生地から形成されるガスバッグと、作動前に折り畳まれた状態のガスバッグ用の膨張装置とを有する、自動車に組み込まれるガスバッグモジュールであって、
前記ガスバッグは、前記ガスバッグが膨張する前の折り畳まれた状態にあるときに少なくとも部分的に閉じた状態で保たれる、少なくとも１つのアダプティブな吹出し開口部を有しており；一方の端部で前記ガスバッグモジュールまたは車両固定された部品に取外し可能に保持されるとともに、アダプティブな吹出し開口部を覆う他方の端部でガスバッグと固定的に結合されたリバウンドストラップが設けられており、それにより、ガスバッグが膨張するとき、取外し可能に保持されている前記リバウンドストラップの端部が解放される前には、膨張圧により応力をかけられる前記リバウンドストラップがアダプティブな吹出し開口部の開放を妨げるようになっている、そのようなガスバッグモジュールにおいて、
アダプティブな吹出し開口部（２０）は、ガスバッグ生地（１０）に切り込まれたスリット（１１）により形成されており、前記スリットの両方の端部には圧力負荷が生じたときの前記スリット（１１）の引裂きを防止する構成物（２１）が配置されており、
前記ガスバッグの内面に配置されてアダプティブな吹出し開口部（２０）としての前記スリット（１１）を覆う前記リバウンドストラップは、前記スリット（１１）に関して一方の端部（１４）の取付個所（１５）と向かい合うようにガスバッグ生地に取り付けられた固定ループ（１７）を通って延びており、それに続いて車両固定部品への保持部へとさらに延びていることを特徴とするガスバッグモジュール。
【請求項２】
前記固定ループ（１７）は、前記リバウンドストラップ（１３）の延びる方向に対して横向きに配置され、両方の外側の端部でガスバッグ生地と固定的に結合された帯状生地（１８）でできていることを特徴とする、請求項１に記載のガスバッグモジュール。
【請求項３】
前記リバウンドストラップ（１３）の端部（１６）を受容する前記保持部はガスバッグの内部に位置している前記ガスバッグモジュールの部分に取り付けられていることを特徴とする、請求項１または２に記載のガスバッグモジュール。
【請求項４】
前記構成物は前記スリット（１１）の長手方向に対して横向きに延びる横方向縫目でできていることを特徴とする、請求項１から３までのいずれか１項に記載のガスバッグモジュール。
【請求項５】
前記構成物は前記スリット（１１）の端部に配置されたストッパ穴（２１）でできていることを特徴とする、請求項１から３までのいずれか１項に記載のガスバッグモジュール。
【請求項６】
前記スリット（１１）は、前記リバウンドストラップ（１３）によって前記リバウンドストラップの解放まで閉じられたまま保たれるスリット区域（２３）と、ガスバッグが膨張したときに圧力作用のもとで開いて標準吹出し開口部（２５）を構成する少なくとも１つのスリット区域（２４）とが生じるような長さを有していることを特徴とする、請求項１から５までのいずれか１項に記載のガスバッグモジュール。
【請求項７】
前記リバウンドストラップ（１３）は前記スリット（１１）をこれに対して中央の配置で覆うとともに、前記スリット（１１）の両方の端部でそれぞれ標準吹出し開口部（２５）を構成することを特徴とする、請求項６に記載のガスバッグモジュール。
【請求項８】
前記リバウンドストラップ（１３）は前記スリット（１１）をその一方の端部領域で覆うとともに、他方の端部領域で標準吹出し開口部（２５）を構成することを特徴とする、請求項６に記載のガスバッグモジュール。
【請求項９】
両方のストッパ穴（２１）のうちの一方はガスバッグが展開されるときに常時開いている標準吹出し開口部（２７）として構成されていることを特徴とする、請求項５から８までのいずれか１項に記載のガスバッグモジュール。
【請求項１０】
両方のストッパ穴はガスバッグが展開されるときに常時開いている標準吹出し開口部として構成されていることを特徴とする、請求項５から８までのいずれか１項に記載のガスバッグモジュール。
【請求項１１】
前記スリット（１１）を覆う前記リバウンドストラップ（１３）が中央に配置されている場合、前記スリット（１１）の一方の端部に構成されるストッパ穴（２１）は前記ガスバッグが展開するときに常時開いている標準吹出し開口部（２５）として構成されており、前記スリットの他方の端部を形成するスリット領域は圧力作用が生じたときに開いて第２の標準吹出し開口部（２５，２７）となり、圧力作用が生じると、前記吹出し開口部の間に位置していて前記リバウンドストラップ（１３）で覆われたスリット領域（２３）は前記リバウンドストラップ（１３）が解放されるときに解放され、それにより、その後には相応の寸法をもつただ１つの吹出し開口部（２６）が形成されることを特徴とする、先行請求項のうち少なくとも１項に記載のガスバッグモジュール。
【請求項１２】
前記スリット（１１）は前記スリット（１１）の両側の生地領域に延びる引裂き縫目で覆われていることを特徴とする、請求項１から１１までのいずれか１項に記載のガスバッグモジュール。
【発明の詳細な説明】
【技術分野】
【０００１】
本発明は、ガスバッグ生地で形成されるガスバッグと、作動前に折り畳まれているガスバッグのための膨張装置とを備える、自動車へ組み込むためのガスバッグモジュールに関するものであり、ガスバッグは、ガスバッグが膨張する前の折り畳まれた状態のときに少なくとも部分的に閉じた状態で保たれる少なくとも１つのアダプティブな吹出し開口部を有しており、一方の端部でガスバッグモジュールまたは車両固定された部品に取外し可能に保持されるとともにアダプティブな吹出し開口部を覆う他方の端部でガスバッグと固定的に結合されたリバウンドストラップが設けられており、それにより、ガスバッグが膨張するとき、取外し可能に保持されているリバウンドストラップの端部が解放される前には、膨張圧により応力をかけられるリバウンドストラップがアダプティブな吹出し開口部の開放を妨げるようになっている。
【背景技術】
【０００２】
前述した構成要件を備えるガスバッグモジュールは国際公開第０３／００６２７６Ａ２号パンフレットから公知である。当分野に属する主題（発明）に構成されるアダプティブな吹出し開口部において、ガスバッグが膨張する前および膨張している途中にも吹出し開口部を閉じたままに保ち、吹出し開口部の解放を特定の時点で初めて可能にすることが問題となる場合、公知のガスバッグモジュールでは一種のリバウンドストラップが設けられ、その一方の端部はアダプティブな吹出し開口部の領域でガスバッグ生地に取り付けられており、このリバウンドストラップは、一方では初期位置ないし組付位置のときに吹出し開口部を完全に覆って閉止し、他方では、他方の端部でモジュール側の保持装置に固定されており、それにより、保持装置が作動するとリバウンドストラップの当該端部が解放されるようになっている。リバウンドストラップは、吹出し開口部を完全に覆うような寸法を有している。さらにリバウンドストラップはその自由端で、取外し可能なボルトの形態の解除可能な保持装置へと通じており、端部側に構成されたループでこのボルトに固定されている。リバウンドストラップの長さは、ガスバッグが折り畳まれているとき、リバウンドストラップにより覆われているガスバッグ生地の領域が、そこに配置されてリバウンドストラップで封止される吹出し開口部とともに固定され、それによってガスバッグの膨張時に伸長した位置をとることができないように設定されている。これに加えて、リバウンドストラップを固定するための引裂き縫目がその組付位置に設けられる。保持装置が作動して、これに固定されているリバウンドストラップの端部が解放されたときに初めて、リバウンドストラップは吹出し開口部を有している生地領域を解放し、それにより、リバウンドストラップにより固定されているガスバッグの領域が完全に展開され、ガスバッグ生地の伸長に基づいてアダプティブな吹出し開口部が完全に開き、このとき同時にリバウンドストラップは開口部から離れ、それによって吹出し開口部が解放される。
【０００３】
公知のガスバッグモジュールは、リバウンドストラップの構造が、寸法と取付の面で、アダプティブな吹出し開口部のそのつどのサイズに合わせて適合していなければならないという欠点と結びついている。さらに、ガスバッグおよびこれに取り付けられるべきガスバッグのリバウンドストラップの組付けに高いコストがかかる。
【先行技術文献】
【特許文献】
【０００４】
【特許文献１】国際公開第０３／００６２７６Ａ２号パンフレット
【発明の概要】
【発明が解決しようとする課題】
【０００５】
そこで本発明の課題は、当分野に属する構成要件を備えたガスバッグモジュールにおいて、別途に惹起されるべき解放の前におけるアダプティブな吹出し開口部の閉止を、簡単かつ効果的な仕方で構成することにある。
【課題を解決するための手段】
【０００６】
この課題の解決は、本発明の好ましい実施形態および発展例を含めて、この発明の詳細な説明の後に記載されている特許請求の範囲の内容から明らかとなる。
【０００７】
本発明はその基本思想において、アダプティブな吹出し開口部がガスバッグ生地に切り込まれたスリットによって形成されており、スリットの両方の端部には圧力負荷が生じたときのスリットの引裂きを防止する構成物が配置されており、ガスバッグの内面に配置されてアダプティブな吹出し開口部を覆うリバウンドストラップは、スリットに関して一方の端部の取付個所と向かい合うようにガスバッグ生地に取り付けられた固定ループを通って延びており、それに続いて車両固定部品への保持部へとさらに延びていることを意図している。
【０００８】
本発明は、当初はリバウンドストラップにより閉止されるアダプティブな吹出し開口部の取付を簡単に行えるという利点と結びついており、そのためには、ガスバッグ生地の切込みと、圧力負荷が生じたときのスリットの引裂きを防止する構成物の取付とが必要であるにすぎない。さらに、リバウンドストラップに関してその寸法や取付の点で特別な要求事項を課さなくてよいという利点がある。一方の端部でガスバッグに取り付けられたリバウンドストラップが、スリット状のアダプティブな吹出し開口部全体にわたって延びるとともに、他方の端部でガスバッグモジュールまたは車両固定部品に取り付けられており、それによりガスバッグが展開するときにリバウンドストラップが、スリットに作用する引張荷重の発生およびこれに伴うアダプティブな吹出し開口部の早期の開放を防止すれば、それだけで足りる。相応に設けられた装置によってリバウンドストラップが意図的に解放されると、それによって可能となる、リバウンドストラップにより当初は互いに結合されているスリットの両側にある生地領域の伸長がスリットの開放につながり、それに伴って、アダプティブな吹出し開口部の解放につながる。さらに追加的に設けられる固定ループの配置は、スリットの形状に対して直角なリバウンドストラップの形状が保証されるので、ガスバッグが展開されるとき、リバウンドストラップの形状に対してスリットの形状が斜めになっていれば生じることになるせん断力ないしせん断力成分の発生が防止されるという利点と結びついている。それにより、リバウンドストラップが解放されるまでは、スリット状のアダプティブな吹出し開口部の開放が確実に回避される。
【０００９】
本発明の１つの実施例では、固定ループは、リバウンドストラップの延びる方向に対して横向きに配置され、両方の外側の端部でガスバッグ生地と固定的に結合された帯状生地でできていることが意図される。
【００１０】
リバウンドストラップの端部を受容する保持部は、ガスバッグの内部に位置しているガスバッグモジュールの部分に取り付けられていることが、それ自体公知の仕方で意図されていてよい。
【００１１】
本発明の第１の実施形態では、圧力負荷が生じたときのスリットの引裂きを防ぐ構成物は、スリットの長手方向に対して横向きに延びる横方向縫目でできていてよい。
【００１２】
しかしながら、当該構成物がスリットの端部に配置されたストッパ穴でできていると好都合であり、本発明の別の実施形態の構成によって好ましい。
【００１３】
当分野に属する国際公開第０３／００６３７６Ａ２号パンフレットにも記載されているような通常のガスバッグにおいて、アダプティブな吹出し開口部に加えて、アダプティブな吹出し開口部の開放について事前設定された圧力を下回る負荷圧力のときでもガスの流出を可能にする１つまたは複数の標準吹出し開口部も構成されている場合、本発明の１つの実施形態では、本発明に基づいてスリットの形態で構成されるアダプティブな吹出し開口部を、追加的に設けられる少なくとも１つの標準吹出し開口部と組み合わせることが意図される。このことは、本発明の１つの実施例では、リバウンドストラップによってリバウンドストラップの解放まで閉じられたまま保たれるスリット区域と、ガスバッグが膨張したときに圧力作用のもとで開いて標準吹出し開口部を構成する少なくとも１つのスリット区域とが生じるような長さをスリットが有していることによって意図される。ガスバッグが膨張するとき、リバウンドストラップによって統合されていないスリット領域がまず最初に開き、そのようにして標準吹出し開口部を構成し、それに対してリバウンドストラップにより当初は統合されているスリット領域は、リバウンドストラップの解放後に初めて開くことができ、そのようにしてアダプティブな吹出し開口部を構成する。スリットが完全に解放された後には、相応に広い断面積を有する１つの吹出し開口部が存在している。
【００１４】
このようなスリットの構成の枠内において、別の実施例では、リバウンドストラップがスリットをこれに対して中央の配置で覆っており、スリットの両方の端部でそれぞれ標準吹出し開口部を構成しており、または、リバウンドストラップがスリットをその一方の端部領域で覆っており、他方の端部領域において片側で標準吹出し開口部を構成することが意図されていてよい。
【００１５】
別案の実施形態では、標準吹出し開口部の構成に関して、希望される標準吹出し開口部ないしその他の標準吹出し開口部がガスバッグ生地に切り込まれた開口部として構成されることが意図されていてよく、そのために、本発明の実施例に基づいて設けられるスリットのストッパ穴のうちの少なくとも１つを利用できるのが好ましく、このことは該当するストッパ穴が、当該ストッパ穴そのものが標準吹出し開口部としての役目をする程度に大きい寸法を与えられていることによって行われる。このようにして、標準吹出し開口部の形態で構成されたストッパ穴が二重の機能を果たす。
【００１６】
そのために本発明の別の実施例では、両方のストッパ穴のうちの一方が、ガスバッグが展開するときに常時開いている標準吹出し開口部として構成されており、または、両方のストッパ穴が、ガスバッグが展開するときに常時開いている標準吹出し開口部として構成されることが意図されていてよい。
【００１７】
本発明のさらに別の実施例では、追加の標準吹出し開口部に関する異なる構成を組み合わせることが意図され、そのために、スリットを覆うリバウンドストラップが中央に配置されている場合、スリットの一方の端部に構成されるストッパ穴は、ガスバッグが展開するときに常時開いている標準吹出し開口部として構成されており、スリットの他方の端部を形成するスリット領域は、圧力作用が生じたときに開いて第２の標準吹出し開口部となることが意図されていてよく、圧力作用が生じると、吹出し開口部の間に位置していてリバウンドストラップで覆われたスリット領域は、リバウンドストラップが解放されるときに解放され、それにより、その後には相応の寸法をもつただ１つの吹出し開口部が形成される。
【００１８】
スリットが早期に開放しないようにいっそう防護するために、本発明の１つの実施例では、スリットは、スリットの両側の生地領域に延びる引裂き縫目によって覆われることが意図される。それにより、標準吹出し開口部が構成されるべき領域にまでスリットが開くことも防止され、少なくともガスバッグが膨張するまでは、相応の内圧ないし相応の負荷圧力が与えられる。
【００１９】
図面には本発明の実施例が示されており、以下において説明する。
【図面の簡単な説明】
【００２０】
【図１】アダプティブな吹出し開口部を有するガスバッグの生地領域をそこに切り込まれたスリットとともに示す、アダプティブな吹出し開口部が閉じているガスバッグ生地の内面の平面図である。
【図２】アダプティブな吹出し開口部が解放されて開いたときの図１の主題（発明）である。
【図３】標準吹出し開口部を構成する追加のスリット領域を備える閉じた状態の図１の主題（発明）である。
【図４】標準吹出し開口部が開いているが、アダプティブな吹出し開口部は引き続き閉じている図３の主題（発明）である。
【図５】アダプティブな吹出し開口部が追加的に開いている図４の主題（発明）である。
【図６】リバウンドストラップにより覆われたアダプティブな吹出し開口部の両側に配置され、それぞれ標準吹出し開口部を構成するスリット領域を有する、図３から図５の主題（発明）である。
【図７】リバウンドストラップにより覆われたアダプティブな吹出し開口部の両側に配置され、それぞれ標準吹出し開口部を構成するスリット領域を有する、図３から図５の主題（発明）である。
【図８】リバウンドストラップにより覆われたアダプティブな吹出し開口部の両側に配置され、それぞれ標準吹出し開口部を構成するスリット領域を有する、図３から図５の主題（発明）である。
【図９】スリットの端部にあるストッパ穴に代えてガスバッグ生地に穿設された標準吹出し開口部を有する、アダプティブな吹出し開口部が当初閉じているときの図１の主題（発明）である。
【図１０】アダプティブな吹出し開口部が追加的に開いているときの図９の主題（発明）である。
【図１１】リバウンドストラップで覆われたアダプティブな吹出し開口部の両側に配置され、スリットの端部にあるストッパ穴に代えて穿設された標準吹出し開口部を有する、図９および１０の主題（発明）である。
【図１２】リバウンドストラップで覆われたアダプティブな吹出し開口部の両側に配置され、スリットの端部にあるストッパ穴に代えて穿設された標準吹出し開口部を有する、図９および１０の主題（発明）である。
【図１３】アダプティブな吹出し開口部を構成するスリット領域と、これに後続する、標準吹出し開口部を構成するスリット領域と、スリットの端部にあるストッパ穴に代えて穿設された標準吹出し開口部とを有する、閉じた状態にある別の実施形態である。
【図１４】標準吹出し装置が開いているがアダプティブな吹出し開口部は引き続き閉じている図１３の主題（発明）である。
【図１５】吹出し開口部が完全に開いている図１４の主題（発明）である。
【発明を実施するための形態】
【００２１】
図１と図２には、アダプティブな吹出し開口部だけが具体化された実施例がまず示されている。そのために、詳しくは図示していないが当分野を形成する国際公開第０３／００６２７６Ａ２号パンフレットから公知となっているガスバッグの生地領域１０には、図示した実施例では円周を取り囲む補強縫目１２で包囲されたスリット１１が切り込まれている。図から明らかなように、相応の圧力負荷が生じると生地に切り込まれたスリットが拡張し、そのようにして相応の開口部を形成する。相応の圧力負荷が生じたときに、生地領域１０に切り込まれたスリット１１の引裂きを防止するために、スリット１１の両方の端部にはストッパ穴２１がそれぞれ穿設されている。
【００２２】
スリット１１によって設けられるアダプティブな吹出し開口部を調整するために、帯状生地からなるリバウンドストラップ１３が設けられており、このリバウンドストラップは一方の端部１４で、スリット１１に直接隣接する領域に取り付けられた縫合部１５によって、生地領域１０と固定的に結合されている。この縫合部１５から、リバウンドストラップ１３はスリット１１を覆う位置にさらに延びており、自由端１６で、同じく詳しくは図示しないが同様に当分野を形成する国際公開第０３／００６２７６Ａ２号パンフレットから公知の仕方で、ガスバッグの内部に配置された同じく図示しないガスバッグモジュールにまたはその他の車両固定部品にある保持装置に接合されており、それにより、リバウンドストラップ１３の自由端１６を相応の信号に基づいて解放することができるようになっている。
【００２３】
リバウンドストラップ１３が解放された後にその方向づけられた案内を担う固定ループ１７は、スリット１１に関して縫合部１５と向かい合うように生地領域１０に取り付けられており、リバウンドストラップ１３の延びる方向に対して横向きに配置され、両方の外側の端部で固定的な縫合部１９により生地領域１０と結合された帯状生地１８で構成されている。固定ループ１７が取り付けられていることで、リバウンドストラップ１３はスリット１１を覆う位置で固定され、それにより、スリット１１の形状に対してほぼ直角なリバウンドストラップ１３の形状が、リバウンドストラップ１３に相応の引張荷重が生じたときでも確保されるようになっている。それにより、スリット１１に作用するせん断力ないしせん断力成分の発生が防止される。
【００２４】
リバウンドストラップ１３の自由端１６が詳しくは図示しない保持装置によって解放されると、リバウンドストラップ１３は、ガスバッグ生地に作用する内圧によって引き起こされるスリット１１の拡張時に固定ループ１７を通って動き、そのようにして、スリット１１が開いて図２に開放状態で示すアダプティブな吹出し開口部２０となるのを妨げることがない。漏れを回避するために、スリット１１を覆う引裂き縫目によって、スリット１１で分断された両方の生地領域の統合が改良されていてよく、その場合にはこの引裂き縫目も引き裂かれて、図２にその端部２２が見えているようになる。
【００２５】
図３から図５に示す実施例では、アダプティブな吹出し開口部の取付と、標準吹出し開口部の取付とが組み合わされており、公知の構成のガスバッグではこのような種類の標準吹出し開口部が設けられている。この標準吹出し開口部は、膨張したガスバッグに相応の負荷圧力が生じたときに、ガスの流出を可能にするためのものである。図３から図５に示す実施例では、スリット１１が２つの領域２３および２４に区分されている。領域２３はリバウンドストラップ１３で覆われ、そのようにして統合されており、それにより、このスリット領域２３ではアダプティブな吹出し開口部を構成することができる。他方のスリット領域２４は自由に保たれているので、ガスバッグの膨張後に相応の圧力作用があるとこのスリット領域２４は開いて標準吹出し開口部２５となり、その様子は図４に示されている。この状態のとき、アダプティブな吹出し開口部は最初のうちまだ解放されていない。その解放状態は図５に示されており、ここではリバウンドストラップ１３が保持装置の作動により解放されており、それにより、相応の開口断面積を有する共通の吹出し開口部２６が生じている。
【００２６】
図６から図８に示す実施例が、図３から図５について説明した実施例と相違しているのは、アダプティブな吹出し開口部を構成する、リバウンドストラップ１３で覆われたスリット領域２３の両側に、二重の標準吹出し開口部２５を構成するための２つのスリット領域２４が設けられる長さでスリット１１が構成されていることだけによっており、それにより、スリット１１が完全に解放ないし開放されると、図５にすでに示したように、やはり共通の吹出し開口部が生じるようになっている。
【００２７】
図９と図１０に示す実施例では、図３から図８について説明した実施例に対して標準吹出し開口部の取付が改変されており、それは、スリット領域が後の拡張のために標準吹出し開口部として利用されるのではなく、ガスバッグ生地に相応の開口部を穿設することによって、標準吹出し開口部２５が最初から構成されているという意味においてである。これに関わるスリット１１の端部に、図１について説明したように、ストッパ穴２１を設けることがもともと好都合である場合、標準吹出し開口部２５がストッパ穴２１の代わりに配置され、それにより、標準吹出し開口部２５はストッパ穴の機能も同じく担うことになる。その意味で図９および図１０の実施例は、スリット１１を解放するために図１について説明した仕方でアダプティブな吹出し開口部２０が構成されており、それにより、リバウンドストラップが解放されると、図３から図８について説明したように、結果として同じく共通の吹出し開口部２６が生じるようになっている。
【００２８】
図１１と図１２に示す実施例が、図９と図１０について先ほど説明した実施例と相違しているのは、図６から図８の実施例に準じて、スリット１１の両方の側にストッパ穴が標準吹出し開口部２５として構成されていることだけによる。
【００２９】
図１３から図１５に最後に示す実施例は、標準吹出し開口部の取付に関して上に説明した各実施例の組み合わせを示しており、一方ではストッパ穴が標準吹出し開口部２５として最初から構成されており、それに対してスリット１１は追加的に、圧力作用のもとでの標準吹出し開口部を構成するためにスリット領域２４を有している。この場合にも、リバウンドストラップ１３が一方の端部で解放されると、上述した形態の共通の吹出し開口部２６が生じる。
【００３０】
以上の説明、特許請求の範囲、要約書、および図面に開示されている本件書類の主題（発明）の各構成要件は、単独でも任意の相互の組み合わせの形でも、本発明をさまざまな実施形態で具体化するための要部となり得る。
【図１】
0005372242.tif 000002
【図２】
0005372242.tif 000003
【図３】
0005372242.tif 000004
【図４】
0005372242.tif 000005
【図５】
0005372242.tif 000006
【図６】
0005372242.tif 000007
【図７】
0005372242.tif 000008
【図８】
0005372242.tif 000009
【図９】
0005372242.tif 000010
【図１０】
0005372242.tif 000011
【図１１】
0005372242.tif 000012
【図１２】
0005372242.tif 000013
【図１３】
0005372242.tif 000014
【図１４】
0005372242.tif 000015
【図１５】
0005372242.tif 000016